(57)【要約】【課題】伸縮性を具備する生地からなる構成でありながらも保冷剤を保持した場合に人体への密着性が大きく損なわれることを回避する。【解決手段】伸縮性を具備する生地からなる本体部１０の一部に、保冷剤を収容可能なポケット２０ａ〜２０ｃが取り付けられて構成された保冷スーツ１において、本体部１０は、ポケット２０ａ〜２０ｃに重なる領域に、本体部１０の生地よりも伸縮性が低いテープ部材３１〜３３が取り付けられている。【選択図】図１
2020048869.tif 000002
【特許請求の範囲】
【請求項１】
伸縮性を具備する生地からなる本体部の一部に、保冷剤を収容可能なポケットが取り付けられて構成された保冷スーツであって、
前記本体部は、前記ポケットに重なる領域に、当該本体部の生地よりも伸縮性が低いテープ部材が取り付けられ、または、当該領域の生地が前記本体部の他の領域よりも伸縮性が低い生地に置き換えられてなるサポート部が設けられている、保冷スーツ。
【請求項２】
請求項１に記載の保冷スーツにおいて、
前記テープ部材または前記サポート部は、前記本体部の襟部から裾部に向かう天地方向にて前記ポケットを貫通している、保冷スーツ。
【発明の詳細な説明】
【技術分野】
【０００１】
本発明は、保冷剤を収容可能なポケットを具備する保冷スーツに関する。
【背景技術】
【０００２】
昨今、地球温暖化や異常気象の影響による夏季の猛暑は人々の様々な生活に悪影響を及ぼしている。特に、屋外等の気温が高い環境下での作業や運動等においては、高温下に長時間いることで体温調整機能が乱れて熱中症にかかり、場合によっては命に危険が及ぶ虞がある。そのため、屋外等の気温が高い環境下での作業や運動等に臨む場合は、何らかの暑さ対策をすることが好ましい。
【０００３】
ここで、保冷剤を収容可能に構成され、保冷剤を収容した状態で着用することにより、保冷剤を人体近くに保持することを可能にする衣類が考えられている（例えば、特許文献１，２参照）。そこで、屋外等の気温が高い環境下で作業や運動等を行う場合に、保冷剤が収容されたこの衣類を着用することで、着用者が保冷剤による冷気を感じることができ、熱中症等の発症の予防が期待される。
【先行技術文献】
【特許文献】
【０００４】
【特許文献１】特開２００６−５５２０９号公報
【特許文献２】特開２００２−８８５３１号公報
【発明の概要】
【発明が解決しようとする課題】
【０００５】
しかしながら、保冷剤を収納可能に構成された衣類は、ライフジャケットや防弾チョッキのように、人体への密着性がそれほど高くはない。そのため、激しい動きや緻密な動きを必要とする作業や運動等においては、そのような衣類は動きの邪魔となり適してはいない。
【０００６】
ところで、近年、繊維業界においては、機能性衣類についての様々な開発が行われている。その中の１つとして、いわゆるコンプレッションウェアの開発が行われている。コンプレッションウェアは、伸縮性の高い生地から構成されることで着用時に人体に密着し、適度な圧迫を人体に与えることにより筋肉をサポートして運動機能を支援することができる。このように、運動機能を支援するためには適度な圧迫を人体に与えることが好ましいことからも、上述したような保冷剤を収納可能に構成された衣類においては、激しい動きや緻密な動きを必要とする作業や運動等には適してはいない。
【０００７】
そこで、コンプレッションウェア自体に、保冷剤を収容可能なポケットを設けることが考えられる。しかしながら、コンプレッションウェアは、適度な圧迫を人体に与えるために伸縮性の高い生地から構成されているため、ポケットに保冷剤を収容した場合、保冷剤の重さによってポケット部分が下方に伸びることで撓み、人体への密着性が損なわれてしまい、コンプレッションウェア本来の目的を達成することができなくなってしまうという問題点がある。
【０００８】
本発明は、上述したような従来の技術が有する問題点に鑑みてなされたものであって、伸縮性を具備する生地からなる構成でありながらも保冷剤を保持した場合に人体への密着性が大きく損なわれることを回避できる保冷スーツを提供することを目的とする。
【課題を解決するための手段】
【０００９】
上記目的を達成するために本発明は、
伸縮性を具備する生地からなる本体部の一部に、保冷剤を収容可能なポケットが取り付けられて構成された保冷スーツであって、
前記本体部は、前記ポケットに重なる領域に、当該本体部の生地よりも伸縮性が低いテープ部材が取り付けられ、または、当該領域の生地が前記本体部の他の領域よりも伸縮性が低い生地に置き換えられてなるサポート部が設けられている。
【００１０】
上記のように構成された本発明においては、本体部に取り付けられたポケットに保冷剤を収容した場合、本体部のポケットに重なる領域に、本体部の生地よりも伸縮性が低いテープ部材が取り付けられていたり、その領域の生地が本体部の他の領域よりも伸縮性が低い生地に置き換えられてなるサポート部が設けられていたりすることで、本体部のポケットに重なる領域が保冷剤の重さによって伸びにくくなり、それにより、人体への密着性が大きく損なわれることが回避される。
【００１１】
また、テープ部材やサポート部が、本体部の襟部から裾部に向かう天地方向にてポケットを貫通していれば、本体部のポケットに重なる領域が保冷剤の重さによって伸びにくくなるという作用が、本体部のポケットに重なる領域の襟部から裾部に向かう天地方向の全幅に亘って生じることになる。
【発明の効果】
【００１２】
本発明によれば、伸縮性を具備する生地からなる本体部の一部に、保冷剤を収容可能なポケットが取り付けられて構成された保冷スーツにおいて、本体部が、ポケットに重なる領域に、本体部の生地よりも伸縮性が低いテープ部材が取り付けられていたり、その領域の生地が本体部の他の領域よりも伸縮性が低い生地に置き換えられてなるサポート部が設けられていたりするため、本体部のポケットに重なる領域が保冷剤の重さによって伸びにくくなり、それにより、伸縮性を具備する生地からなる構成でありながらも保冷剤を保持した場合に人体への密着性が大きく損なわれることを回避できる。
【００１３】
また、テープ部材やサポート部が、本体部の襟部から裾部に向かう天地方向にてポケットを貫通しているものにおいては、本体部のポケットに重なる領域が保冷剤の重さによって伸びにくくなるという効果を、本体部のポケットに重なる領域の襟部から裾部に向かう天地方向の全幅に亘って得ることができる。
【図面の簡単な説明】
【００１４】
【図１】本発明の保冷スーツの第１の実施の形態を示す図であり、（ａ）は前から見た図、（ｂ）は後ろから見た図、（ｃ）はポケットを取り除いた状態を後ろから見た図である。
【図２】図１に示した保冷スーツのポケットへの保冷剤の収容方法を説明するための図である。
【図３】図１に示した保冷スーツが、ポケットに保冷剤が収容された状態で人体に着用された場合の作用を説明するための断面図である。
【図４】本発明の保冷スーツの第２の実施の形態を示す図であり、（ａ）は前から見た図、（ｂ）は後ろから見た図、（ｃ）はポケットを取り除いた状態を後ろから見た図である。
【図５】本発明の保冷スーツの第３の実施の形態を示す図であり、（ａ）は前から見た図、（ｂ）は後ろから見た図、（ｃ）はポケットを取り除いた状態を後ろから見た図である。
【図６】本発明の保冷スーツの第４の実施の形態を示す図であり、（ａ）は前から見た図、（ｂ）は後ろから見た図、（ｃ）はポケットを取り除いた状態を後ろから見た図である。
【図７】本発明の保冷スーツの第５の実施の形態を示す図であり、（ａ）は前から見た図、（ｂ）は後ろから見た図、（ｃ）はポケットを取り除いた状態を後ろから見た図である。
【図８】本発明の保冷スーツの第６の実施の形態を示す図であり、（ａ）は前から見た図、（ｂ）は後ろから見た図、（ｃ）はポケットを取り除いた状態を後ろから見た図である。
【図９】本発明の保冷スーツの第７の実施の形態を示す図であり、（ａ）は前から見た図、（ｂ）は後ろから見た図、（ｃ）はポケットを取り除いた状態を後ろから見た図である。
【図１０】図９に示した保冷スーツのポケットへの保冷剤の収容方法を説明するための図である。
【図１１】本発明の保冷スーツの第８の実施の形態を示す図であり、（ａ）は前から見た図、（ｂ）は後ろから見た図、（ｃ）はポケットを取り除いた状態を後ろから見た図である。
【発明を実施するための形態】
【００１５】
以下に、本発明の実施の形態について図面を参照して説明する。
【００１６】
（第１の実施の形態）
図１は、本発明の保冷スーツの第１の実施の形態を示す図であり、（ａ）は前から見た図、（ｂ）は後ろから見た図、（ｃ）はポケット２０ａ〜２０ｄを取り除いた状態を後ろから見た図である。
【００１７】
本形態は図１に示すように、本体部１０にポケット２０ａ〜２０ｄとテープ部材３１〜３５が取り付けられて構成された保冷スーツ１である。
【００１８】
本体部１０は、いわゆるハイネックタイプの襟部１１と裾部１２とを有し、人体に着用された場合に襟部１１から裾部１２に向かう方向が天地方向となる形状を有している。本体部１０は、ポリウレタン系の伸縮性及び吸水性が高いメッシュ生地から構成されている。
【００１９】
ポケット２０ａ，２０ｂは、保冷スーツ１が人体に着用された場合に人体の背中に当たる領域に、襟部１１から裾部１２に向かう天地方向に並んで取り付けられている。ポケット２０ｃ，２０ｄは、保冷スーツ１が人体に着用された場合に人体の左右の脇に当たる領域のそれぞれに取り付けられている。ポケット２０ａ〜２０ｄはそれぞれ、本体部１０と同一の生地から構成され、長方形の形状を有し、天地方向における天側の一辺が、保冷剤をポケット２０ａ〜２０ｄに収容する際の収容口となり、その他の三辺が縫合等の手段によって本体部１０に取り付けられている。
【００２０】
テープ部材３１は、本体部１０のうちポケット２０ａ，２０ｂに重なる領域において、襟部１１から裾部１２に向かう天地方向にてポケット２０ａ，２０ｂを貫通して本体部１０に貼り付けられている。テープ部材３２は、本体部１０のうちポケット２０ｃに重なる領域において、襟部１１から裾部１２に向かう天地方向にてポケット２０ｃを貫通して本体部１０に貼り付けられている。テープ部材３３は、本体部１０のうちポケット２０ｄに重なる領域において、襟部１１から裾部１２に向かう天地方向にてポケット２０ｄを貫通して本体部１０に貼り付けられている。テープ部材３４は、ポケット２０ａの天側に隣接する領域から、保冷スーツ１が人体に着用された場合に人体の右肩に当たる領域を通過して右脇の下に当たる領域まで延びて本体部１０に貼り付けられている。テープ部材３５は、ポケット２０ａの天側に隣接する領域から、保冷スーツ１が人体に着用された場合に人体の左肩に当たる領域を通過して左脇の下に当たる領域まで延びて本体部１０に貼り付けられている。テープ部材３１〜３５は、ポリウレタン系の本体部１０よりも伸縮性が低いフィルム状の生地から構成されている。なお、テープ部材３１〜３５は、本体部１０よりも伸縮性が低いものであれば、ポリウレタン系からなるフィルム状の生地以外のものから構成されていてもよい。
【００２１】
以下に、上記のように構成された保冷スーツ１の使用方法及びその際の作用について説明する。
【００２２】
図２は、図１に示した保冷スーツ１のポケット２０ａ，２０ｂへの保冷剤の収容方法を説明するための図である。
【００２３】
上述したように、図１に示した保冷スーツ１におけるポケット２０ａ〜２０ｄは、本体部１０の襟部１１から裾部１２に向かう天地方向における天側の一辺が、保冷剤をポケット２０ａ〜２０ｄに収容する際の収容口となっている。そのため、図２に示すように、ポケット２０ａ，２０ｂの天側の一辺を収容口として、予め冷却された保冷剤２をポケット２０ａ，２０ｂに収容することになる。ポケット２０ｃ，２０ｄについても同様に、ポケット２０ｃ，２０ｄの天側の一辺を収容口として、予め冷却された保冷剤２をポケット２０ｃ，２０ｄに収容することになる。
【００２４】
なお、ポケット２０ａ〜２０ｄへの保冷剤２の収容は、保冷スーツ１が人体に着用される前であってもよいし、保冷スーツ１が人体に着用された後であってもよい。
【００２５】
図３は、図１に示した保冷スーツ１が、ポケット２０ａに保冷剤が収容された状態で人体に着用された場合の作用を説明するための断面図である。
【００２６】
本体部１０のポケット２０ａに重なる領域にテープ部材３１が貼り付けられていない場合、ポケット２０ａに保冷剤２が収容されると、本体部１０が伸縮性が高い生地から構成されていることで、図３（ａ）に示すように、保冷剤２の重さによって本体部１０のポケット２０ａに重なる領域が下方に伸びることで撓み、人体３への密着性が大きく損なわれてしまう。そのため、保冷スーツ１を着用した状態で、激しい動きや緻密な動きを必要とする作業や運動等を実施する場合、保冷スーツ１がその動きの邪魔となってしまう。特に、保冷スーツ１が、いわゆるコンプレッションウェアである場合は、人体３に密着させるというコンプレッションウェア本来の目的を達成することができなくなってしまう。
【００２７】
一方、図１に示した保冷スーツ１においては、上述したように、本体部１０のポケット２０ａに重なる領域に、本体部１０の生地よりも伸縮性が低いテープ部材３１が貼り付けられているため、図３（ｂ）に示すように、ポケット２０ａに保冷剤２が収容されても、本体部１０のポケット２０ａに重なる領域が保冷剤２の重さによって伸びにくくなる。そのため、人体３への密着性が大きく損なわれることが回避され、激しい動きや緻密な動きを必要とする作業や運動等を実施する場合でも、保冷スーツ１がその動きの邪魔となってしまうことがなくなる。特に、保冷スーツ１が、いわゆるコンプレッションウェアである場合は、ポケット２０ａに保冷剤２が収容された場合でも、人体３に密着させるというコンプレッションウェア本来の目的を達成することができる。
【００２８】
またその際、テープ部材３１が、本体部１０の襟部１１から裾部１２に向かう天地方向にてポケット２０ａを貫通していることにより、本体部１０のポケット２０ａに重なる領域が保冷剤２の重さによって伸びにくくなるという作用が、本体部１０のポケット２０ａに重なる領域における天地方向の全幅に亘って生じることになる。
【００２９】
また、本体部１０のポケット２０ｂに重なる領域には、本体部１０の天地方向にてポケット２０ｂを貫通してテープ部材３１が貼り付けられており、本体部１０のポケット２０ｃに重なる領域には、本体部１０の天地方向にてポケット２０ｃを貫通してテープ部材３２が貼り付けられており、本体部１０のポケット２０ｄに重なる領域には、本体部１０の天地方向にてポケット２０ｄを貫通してテープ部材３３が貼り付けられているため、上述した作用は、本体部１０のポケット２０ｂ〜２０ｄに重なる領域においても同様に生じることになる。
【００３０】
さらに、本形態の保冷スーツ１においては、ポケット２０ａの天側に隣接する領域から、保冷スーツ１が人体に着用された場合に人体の右肩に当たる領域を通過して右脇の下に当たる領域までテープ部材３４が延びて本体部１０に貼り付けられているとともに、ポケット２０ａの天側に隣接する領域から、保冷スーツ１が人体に着用された場合に人体の左肩に当たる領域を通過して左脇の下に当たる領域までテープ部材３５が延びて本体部１０に貼り付けられているため、ポケット２０ａ〜２０ｄに収容された保冷剤２の重さで保冷スーツ１が天地方向に伸びてしまうことも回避される。
【００３１】
なお、テープ部材３４は、襟部１１近傍においてテープ部材３１と隣接しているもののテープ部材３１とは繋がってはおらず、また、保冷スーツ１が人体に着用された場合に人体の右脇の下に当たる部分においてテープ部材３２と隣接しているもののテープ部材３２とは繋がってはいない。また、テープ部材３５は、襟部１１近傍においてテープ部材３１と隣接しているもののテープ部材３１とは繋がってはおらず、また、保冷スーツ１が人体に着用された場合に人体の左脇の下に当たる部分においてテープ部材３３と隣接しているもののテープ部材３３とは繋がってはいない。これにより、保冷スーツ１が、着用した人体の作業や運動等の動き自体によって必要となる伸縮が妨げられない構成となっている。
【００３２】
（第２の実施の形態）
図４は、本発明の保冷スーツの第２の実施の形態を示す図であり、（ａ）は前から見た図、（ｂ）は後ろから見た図、（ｃ）はポケット１２０ａ〜１２０ｄを取り除いた状態を後ろから見た図である。
【００３３】
本形態は図４に示すように、図１に示したものに対して、テープ部材３４，３５が本体部１１０に貼り付けられていない点が異なる保冷スーツ１０１である。
【００３４】
上記のように構成された保冷スーツ１０１においても、本体部１１０のポケット１２０ａ〜１２０ｄに重なる領域に、本体部１１０の生地よりも伸縮性が低いテープ部材１３１〜１３３が貼り付けられていることにより、ポケット１２０ａ〜１２０ｄに保冷剤が収容されても、本体部１１０のポケット１２０ａ〜１２０ｄに重なる領域が保冷剤の重さによって伸びにくくなり、保冷スーツ１０１を着用した人体への密着性が大きく損なわれることを回避できる。
【００３５】
（第３の実施の形態）
図５は、本発明の保冷スーツの第３の実施の形態を示す図であり、（ａ）は前から見た図、（ｂ）は後ろから見た図、（ｃ）はポケット２２０ａ〜２２０ｄを取り除いた状態を後ろから見た図である。
【００３６】
本形態は図５に示すように、図１に示したものに対して、テープ部材２３４，２３５の形状が図１に示したテープ部材３４，３５の形状とは異なる保冷スーツ２０１である。
【００３７】
本形態の保冷スーツ２０１におけるテープ部材２３４は、本体部２１０の前身頃のうち保冷スーツ２０１が人体に着用された場合に人体の右脇の下に当たる領域から人体の右肩に当たる領域を通過して後ろ身頃のうち右脇の下に当たる領域まで延びて本体部２１０に貼り付けられている。テープ部材２３５は、本体部２１０の前身頃のうち保冷スーツ２０１が人体に着用された場合に人体の左脇の下に当たる領域から人体の左肩に当たる領域を通過して後ろ身頃のうち左脇の下に当たる領域まで延びて本体部２１０に貼り付けられている。
【００３８】
上記のように構成された保冷スーツ２０１においても、本体部２１０のポケット２２０ａ〜２２０ｄに重なる領域に、本体部２１０の生地よりも伸縮性が低いテープ部材２３１〜２３３が貼り付けられていることにより、ポケット２２０ａ〜２２０ｄに保冷剤が収容されても、本体部２１０のポケット２２０ａ〜２２０ｄに重なる領域が保冷剤の重さによって伸びにくくなり、保冷スーツ２０１を着用した人体への密着性が大きく損なわれることを回避できる。
【００３９】
また、本体部２１０の前身頃のうち保冷スーツ２０１が人体に着用された場合に人体の右脇の下に当たる領域から人体の右肩に当たる領域を通過して後ろ身頃のうち右脇の下に当たる領域までテープ部材２３４が延びて本体部２１０に貼り付けられているとともに、本体部２１０の前身頃のうち保冷スーツ２０１が人体に着用された場合に人体の左脇の下に当たる領域から人体の左肩に当たる領域を通過して後ろ身頃のうち左脇の下に当たる領域までテープ部材２３５が延びて本体部２１０に貼り付けられていることにより、ポケット２２０ａ〜２２０ｄに収容された保冷剤の重さで保冷スーツ２０１が天地方向に伸びてしまうことも回避される。
【００４０】
（第４の実施の形態）
図６は、本発明の保冷スーツの第４の実施の形態を示す図であり、（ａ）は前から見た図、（ｂ）は後ろから見た図、（ｃ）はポケット３２０ａ〜３２０ｄを取り除いた状態を後ろから見た図である。
【００４１】
本形態は図６に示すように、図１に示したものに対して、テープ部材３３４の形状が図１に示したテープ部材３４，３５の形状とは異なる保冷スーツ３０１である。
【００４２】
本形態の保冷スーツ３０１におけるテープ部材３３４は、本体部３１０のポケット３２０ａの天側に隣接する領域から、保冷スーツ３０１が人体に着用された場合に人体の右肩に当たる領域を通過して襟部３１１を取り囲むように延びてさらに左肩に当たる領域を通過してポケット３２０ａの天側に隣接する領域まで延びて本体部３１０に貼り付けられている。
【００４３】
上記のように構成された保冷スーツ３０１においても、本体部３１０のポケット３２０ａ〜３２０ｄに重なる領域に、本体部３１０の生地よりも伸縮性が低いテープ部材３３１〜３３３が貼り付けられていることにより、ポケット３２０ａ〜３２０ｄに保冷剤が収容されても、本体部３１０のポケット３２０ａ〜３２０ｄに重なる領域が保冷剤の重さによって伸びにくくなり、保冷スーツ３０１を着用した人体への密着性が大きく損なわれることを回避できる。
【００４４】
また、本体部３１０のポケット３２０ａの天側に隣接する領域から、保冷スーツ３０１が人体に着用された場合に人体の右肩に当たる領域を通過して襟部３１１を取り囲むように延びてさらに左肩に当たる領域を通過してポケット３２０ａの天側に隣接する領域までテープ部材３３４が延びて本体部３１０に貼り付けられていることにより、ポケット３２０ａ〜３２０ｄに収容された保冷剤の重さで保冷スーツ３０１が天地方向に伸びてしまうことも回避される。
【００４５】
（第５の実施の形態）
図７は、本発明の保冷スーツの第５の実施の形態を示す図であり、（ａ）は前から見た図、（ｂ）は後ろから見た図、（ｃ）はポケット４２０ａ〜４２０ｄを取り除いた状態を後ろから見た図である。
【００４６】
本形態は図７に示すように、図１に示したものに対して、テープ部材４３４〜４３７の形状が図１に示したテープ部材３４，３５の形状とは異なる保冷スーツ４０１である。
【００４７】
本形態の保冷スーツ４０１におけるテープ部材４３４は、本体部４１０の後ろ身頃のうち保冷スーツ４０１が人体に着用された場合に人体の首の左側の付け根に当たる領域からテープ部材４３１の天地方向における地側の端部まで延びてテープ部材４３１に繋がっている。テープ部材４３５は、本体部４１０の後ろ身頃のうち保冷スーツ４０１が人体に着用された場合に人体の首の右側の付け根に当たる領域からテープ部材４３１の天地方向における地側の端部まで延びてテープ部材４３１に繋がっている。テープ部材４３６は、本体部４１０の後ろ身頃のうち保冷スーツ４０１が人体に着用された場合に人体の左肩に当たる領域から左脇の下に当たる領域まで延びて本体部４１０に貼り付けられている。テープ部材４３７は、本体部４１０の後ろ身頃のうち保冷スーツ４０１が人体に着用された場合に人体の右肩に当たる領域から右脇の下に当たる領域まで延びて本体部４１０に貼り付けられている。
【００４８】
上記のように構成された保冷スーツ４０１においても、本体部４１０のポケット４２０ａ〜４２０ｄに重なる領域に、本体部４１０の生地よりも伸縮性が低いテープ部材４３１〜４３３が貼り付けられていることにより、ポケット４２０ａ〜４２０ｄに保冷剤が収容されても、本体部４１０のポケット４２０ａ〜４２０ｄに重なる領域が保冷剤の重さによって伸びにくくなり、保冷スーツ４０１を着用した人体への密着性が大きく損なわれることを回避できる。
【００４９】
また、本体部４１０の後ろ身頃のうち保冷スーツ４０１が人体に着用された場合に人体の首の付け根に当たる領域からテープ部材４３１の天地方向における地側の端部までテープ部材４３４，４３５が延びて本体部４１０に貼り付けられているとともに、保冷スーツ４０１の後ろ身頃のうち保冷スーツ４０１が人体に着用された場合に人体の左右の肩に当たる領域のそれぞれから左右の脇の下に当たる領域までテープ部材４３６，４３７が延びて本体部４１０に貼り付けられていることにより、ポケット４２０ａ〜４２０ｄに収容された保冷剤の重さで保冷スーツ４０１が天地方向に伸びてしまうことも回避される。
【００５０】
（第６の実施の形態）
図８は、本発明の保冷スーツの第６の実施の形態を示す図であり、（ａ）は前から見た図、（ｂ）は後ろから見た図、（ｃ）はポケット５２０ａ〜５２０ｄを取り除いた状態を後ろから見た図である。
【００５１】
本形態は図８に示すように、本体部５１０にポケット５２０ａ〜５２０ｈとテープ部材５３１〜５３７が取り付けられて構成された保冷スーツ５０１である。
【００５２】
本体部５１０は、いわゆるクールネックタイプの襟部５１１と裾部５１２とを有し、人体に着用された場合に襟部５１１から裾部５１２に向かう方向が天地方向となる形状を有している。本体部５１０は、図１に示したものと同様にポリウレタン系の伸縮性及び吸水性が高い生地から構成されている。
【００５３】
ポケット５２０ａ，５２０ｂは、保冷スーツ５０１が人体に着用された場合に人体の背中に当たる領域に、襟部５１１から裾部５１２に向かう天地方向に並んで取り付けられている。ポケット５２０ｃ，５２０ｇは、保冷スーツ５０１が人体に着用された場合に人体の右肩に当たる領域に前後して取り付けられている。ポケット５２０ｄ，５２０ｈは、保冷スーツ５０１が人体に着用された場合に人体の左肩に当たる領域に前後して取り付けられている。ポケット５２０ｅ，５２０ｆは、保冷スーツ５０１が人体に着用された場合に人体の左右の脇の下に当たる領域のそれぞれに取り付けられている。ポケット５２０ａ，５２０ｂはそれぞれ、本体部５１０と同一の生地から構成され、長方形の形状を有し、天地方向における天側の一辺が、保冷剤をポケット５２０ａ，５２０ｂに収容する際の収容口となり、その他の三辺が縫合等の手段によって本体部５１０に取り付けられている。また、ポケット５２０ｃ〜５２０ｈにおいても、保冷スーツ５０１が人体に着用された場合に人体の肩や脇の下に当たる領域に取り付けられているものの、保冷スーツ５０１を着用した人体が腕を下に下ろした状態において天地方向における天側の一辺が、保冷剤をポケット５２０ｃ〜５２０ｈに収容する際の収容口となり、その他の三辺が縫合等の手段によって本体部５１０に取り付けられている。
【００５４】
テープ部材５３１は、本体部５１０のうちポケット５２０ａ，５２０ｂに重なる領域において、襟部５１１から裾部５１２に向かう天地方向にてポケット５２０ａ，５２０ｂを貫通して本体部５１０に貼り付けられている。テープ部材５３２〜５３７はそれぞれ、本体部５１０のうちポケット５２０ｃ〜５２０ｈに重なる領域において、保冷スーツ５０１を着用した人体が腕を下に下ろした状態において襟部５１１から裾部５１２に向かう天地方向にてポケット５２０ｃ〜５２０ｈを貫通して本体部５１０に貼り付けられている。これらテープ部材５３１〜５３７は、図１に示したものと同様に、本体部５１０よりも伸縮性が低い材料から構成されている。
【００５５】
上記のように構成された保冷スーツ５０１においても、本体部５１０のポケット５２０ａ〜５２０ｈに重なる領域に、本体部５１０の生地よりも伸縮性が低いテープ部材５３１〜５３７が貼り付けられていることにより、ポケット５２０ａ〜５２０ｈに保冷剤が収容されても、本体部５１０のポケット５２０ａ〜５２０ｈに重なる領域が保冷剤の重さによって伸びにくくなり、保冷スーツ５０１を着用した人体への密着性が大きく損なわれることを回避できる。
【００５６】
なお、上述した実施の形態においては、保冷スーツが人体に着用された場合に人体の背中に当たる領域に、２つのポケットが本体部の襟部から裾部に向かう天地方向に並んで取り付けられており、この２つのポケットを貫通するようにテープ部材が本体部に貼り付けられているが、本体部の襟部から裾部に向かう天地方向に並んで取り付けられるポケットの数は２つに限らず、また、複数のポケットが本体部の襟部から裾部に向かう天地方向に並んで取り付けられた列が複数あってもよい。
【００５７】
また、上述した実施の形態においては、ポケットが天地方向における天側の一辺を除く三辺が縫合等の手段によって本体部に取り付けられているものを例に挙げて説明したが、ポケットの本体部への取り付け手段は、縫合に限らず、貼着等の手段であってもよい。
【００５８】
（第７の実施の形態）
図９は、本発明の保冷スーツの第７の実施の形態を示す図であり、（ａ）は前から見た図、（ｂ）は後ろから見た図、（ｃ）はポケット６２０ａを取り除いた状態を後ろから見た図である。
【００５９】
本形態は図９に示すように、本体部６１０にポケット６２０ａ〜６２０ｃとテープ部材６３１〜６３３が取り付けられて構成された保冷スーツ６０１である。
【００６０】
本体部６１０は、いわゆるハイネックタイプの襟部６１１と裾部６１２とを有し、人体に着用された場合に襟部６１１から裾部６１２に向かう方向が天地方向となる形状を有している。本体部６１０は、図１に示したものと同様に、ポリウレタン系の伸縮性及び吸水性が高い生地から構成されている。
【００６１】
ポケット６２０ａは、保冷スーツ６０１が人体に着用された場合に人体の背中に当たる領域のほぼ全面にファスナー（不図示）等によって取り外し自在に取り付けられている。ポケット６２０ｂ，６２０ｃは、保冷スーツ６０１が人体に着用された場合に人体の左右の脇に当たる領域のそれぞれに取り付けられている。ポケット６２０ａ〜６２０ｃはそれぞれ、本体部６１０と同一の生地から構成されている。ポケット６２０ｂ，６２０ｃのそれぞれは、長方形の形状を有し、天地方向における天側の一辺が、保冷剤をポケット６２０ｂ，６２０ｃに収容する際の収容口となり、その他の三辺が縫合等の手段によって本体部６１０に取り付けられている。
【００６２】
テープ部材６３１は、本体部６１０の後ろ身頃のうちポケット６２０ａに重なる領域において、保冷スーツ６０１が人体に着用された場合に人体の左右の肩に当たる領域から裾部６１２に向かってＶ字型に延びて本体部６１０に貼り付けられており、本体部６１０の襟部６１１から裾部６１２に向かう天地方向にてポケット６２０ａを貫通して貼り付けられている。テープ部材６３２は、本体部６１０のうちポケット６２０ｂに重なる領域において、襟部６１１から裾部６１２に向かう天地方向にてポケット６２０ｂを貫通して本体部６１０に貼り付けられている。テープ部材６３３は、本体部６１０のうちポケット６２０ｃに重なる領域において、襟部６１１から裾部６１２に向かう天地方向にてポケット６２０ｃを貫通して本体部６１０に貼り付けられている。これらテープ部材６３１〜６３３は、図１に示したものと同様に、本体部６１０よりも伸縮性が低い材料から構成されている。
【００６３】
以下に、上記のように構成された保冷スーツ６０１の使用方法について説明する。
【００６４】
図１０は、図９に示した保冷スーツ６０１のポケット６２０ａへの保冷剤の収容方法を説明するための図である。
【００６５】
上述したように、図９に示した保冷スーツ６０１におけるポケット６２０ａは、ファスナー等によって取り外し自在に本体部６１０に取り付けられているため、ポケット６２０ａに保冷剤を収容する場合は、図１０（ａ）に示すように、ポケット６２０ａを本体部６１０から一旦取り外した後、ポケット６２０ａと本体部６１０との間に予め冷却された保冷剤２を挟み込むようにして並べ、その後、図１０（ｂ）に示すように、ポケット６２０ａを本体部６１０に再度取り付けることで、ポケット６２０ａに複数の保冷剤２を並べて収容することになる。
【００６６】
また、ポケット６２０ｂ，６２０ｃにおいては、本体部６１０の襟部６１１から裾部６１２に向かう天地方向における天側の一辺が、保冷剤２をポケット６２０ｂ，６２０ｃに収容する際の収容口となっている。そのため、図１に示したものと同様に、ポケット６２０ｃ，６２０ｃの天側の一辺を収容口として、予め冷却された保冷剤２をポケット６２０ｂ，６２０ｃに収容することになる。
【００６７】
上記のようにしてポケット６２０ａ〜６２０ｃのそれぞれに保冷剤２が収容された保冷スーツ６０１においても、本体部６１０のポケット６２０ａ〜６２０ｃに重なる領域に、本体部６１０の生地よりも伸縮性が低いテープ部材６３１〜６３３が貼り付けられていることにより、ポケット６２０ａ〜６２０ｃに保冷剤２が収容されても、本体部６１０のポケット６２０ａ〜６２０ｃに重なる領域が保冷剤の重さによって伸びにくくなり、保冷スーツ６０１を着用した人体への密着性が大きく損なわれることを回避できる。
【００６８】
なお、上述した実施の形態においては、テープ部材が本体部に貼り付けられることで取り付けられているが、テープ部材を本体部に取り付ける手段は、縫合等、貼り付け以外の手段であってもよい。
【００６９】
（第８の実施の形態）
図１１は、本発明の保冷スーツの第８の実施の形態を示す図であり、（ａ）は前から見た図、（ｂ）は後ろから見た図、（ｃ）はポケット７２０ａ〜７２０ｄを取り除いた状態を後ろから見た図である。
【００７０】
本形態は図１１に示すように、図１に示したものに対して、テープ部材３１〜３３が本体部７１０に貼り付けられておらず、本体部７１０のうちポケット７２０ａ〜７２０ｄに重なる領域に、その生地が他の領域の生地とは異なるサポート部７１３が設けられている点が異なる保冷スーツ７０１である。
【００７１】
本形態における保冷スーツ７０１は、本体部７１０を構成するパーツのうちポケット７２０ａ〜７２０ｄに重なるパーツが、本体部７１０を構成する他のパーツに対して伸縮性が低い生地に置き換えられて他のパーツと縫合されている。これにより、本体部７１０には、ポケット７２０ａ〜７２０ｄに重なる領域に、その領域の生地が本体部７１０の他の領域よりも伸縮性が低い生地に置き換えられてなるサポート部７１３が設けられている。
【００７２】
上記のように構成された保冷スーツ７０１においては、本体部７１０のポケット７２０ａ〜７２０ｄに重なる領域に、本体部７１０の生地よりも伸縮性が低いテープ部材が貼り付けられていないものの、本体部７１０のポケット７２０ａ〜７２０ｄに重なる領域に、その領域の生地が本体部７１０の他の領域よりも伸縮性が低い生地に置き換えられてなるサポート部７１３が設けられていることにより、ポケット７２０ａ〜７２０ｄに保冷剤が収容されても、本体部７１０のポケット７２０ａ〜７２０ｄに重なる領域が保冷剤の重さによって伸びにくくなり、保冷スーツ７０１を着用した人体への密着性が大きく損なわれることを回避できる。
【００７３】
なお、サポート部７１３としては、ポリウレタン系のメッシュ生地から構成することが考えられるが、その場合でも、サポート部７１３は本体部７１０の他の領域よりも伸縮性が低い生地から構成されたものとする必要がある。
【符号の説明】
【００７４】
１，１０１，２０１，３０１，４０１，５０１，６０１，７０１    保冷スーツ
２    保冷剤
３    人体
１０，１１０，２１０，３１０，４１０，５１０，６１０，７１０    本体部
１１，１１１，２１１，３１１，４１１，５１１，６１１，７１１    襟部
１２，１１２，２１２，３１２，４１２，５１２，６１２，７１２    裾部
２０ａ〜２０ｄ，１２０ａ〜１２０ｄ，２２０ａ〜２２０ｄ，３２０ａ〜３２０ｄ，４２０ａ〜４２０ｄ，５２０ａ〜５２０ｈ，６２０ａ〜６２０ｃ，７２０ａ〜７２０ｄ    ポケット
３１〜３５，１３１〜１３３，２３１〜２３５，３３１〜３３４，４３１〜４３７，５３１〜５３７，６３１〜６３３    テープ部材
７１３    サポート部
【図１】
2020048869.tif 000003
【図２】
2020048869.tif 000004
【図３】
2020048869.tif 000005
【図４】
2020048869.tif 000006
【図５】
2020048869.tif 000007
【図６】
2020048869.tif 000008
【図７】
2020048869.tif 000009
【図８】
2020048869.tif 000010
【図９】
2020048869.tif 000011
【図１０】
2020048869.tif 000012
【図１１】
2020048869.tif 000013